(57)【要約】      （修正有）【課題】知能が高く警戒心の強いネズミであっても、その習性を利用して、確実に捕獲することができ、持ち運びが容易、かつ組立が簡便で、低コストに製造可能なネズミ捕獲器を提供する。【解決手段】ネズミ捕獲器は、ネズミが収容される遮蔽空間１ａを有すると共に、両端上部３ａ、３ｂにネズミの侵入口を有するネズミ捕獲箱１と、ネズミ捕獲箱１の両端に傾動自在に設けられる一対のシーソー板２ａ、２ｂと、シーソー板２ａ、２ｂの上方に吊下されるエサ５と、ネズミ捕獲箱１の底部に着脱自在に配置された接着シート４とからなり、ネズミ捕獲箱１を一枚の紙材シートを折り曲げて箱状に組み立て、一対のシーソー板２ａ、２ｂを夫々一枚の紙材シートを折り曲げて組み立てた。【選択図】図３
0003234822.tif 000002
【実用新案登録請求の範囲】
【請求項１】
ネズミが収容される遮蔽空間を有すると共に、両端上部にネズミの侵入口を有するネズミ捕獲箱と、該ネズミ捕獲箱の両端に傾動自在に設けられる一対のシーソー板と、該シーソー板の上方に吊下されるエサと、前記ネズミ捕獲箱の底部に着脱自在に配置された接着シートとからなり、前記ネズミ捕獲箱が一枚の紙材シートを折り曲げて箱状に組み立てられ、前記一対のシーソー板が一枚の紙材シートを折り曲げて組み立てられることを特徴とするネズミ捕獲器。
【考案の詳細な説明】
【技術分野】
【０００１】
本考案は、ネズミを捕獲するために用いられるネズミ捕獲器に関するものである。
【背景技術】
【０００２】
従来、ネズミ捕獲具としては、ばね力を利用してネズミを挟んで捕獲する、あるいはネズミが餌を取ることにより、扉が遮蔽して閉じ込めるなどの機械的要素を有する捕獲器、あるいは粘着シートに接着させて捕獲するものなどがある。
【０００３】
ところでネズミは、その棲息域や特長により、家ネズミと称されるクマネズミ、並びにドブネズミと、野ネズミと称されるアカネズミ、ヒメネズミ、カヤネズミ、ハタネズミ、スミスネズミ、並びにエゾヤチネズミと、その両方に称されるハツカネズミに分類されている。そしてこれらのネズミの習性などに合わせて、ネズミ捕獲具は、適宜に選択されている。
【０００４】
また、ネズミは、知能が高く、高い学習能力や危険を察知する力を備えており、捕獲器や粘着シートに捕獲された他の鼠の姿を見ると警戒し、捕獲器や粘着シートに接近することがない。したがって、従来の捕獲器ではネズミが一匹掛かると蓋や扉が遮蔽され、その都度後処理を要するものであった。そのため、一つの捕獲器や粘着シートに対し、一匹のネズミしか捕獲できないことが多いうえに、捕獲されたネズミを見た他のネズミを捕獲することが困難となり、一向に駆除が進まないという問題があった。さらに、捕獲器としてシート状の粘着シートは、設置場所を選ぶという問題もあった。例えば起伏した地面に設置しても粘着面が傾いた状態となり、捕獲率の低下を招く、また例えば、風で周囲のゴミが粘着シート上に飛散して粘着できないなど、とくに屋外の設置に不向きであった。近年、野ネズミが鳥インフルエンザウイルスを鶏舎に持ち込むことも報告されており、鶏舎周囲のネズミ駆除が取りざたされている。鶏舎の周囲は、平らな箇所が少ないため、このような鶏舎では、ネズミの捕獲に粘着シートは不向きである。
【０００５】
そこで、本考案者は、上記のような問題点に鑑み、同一の捕獲器に連続して捕獲することができる鼠捕獲器を考案した（例えば特許文献1参照。）。この考案におけるネズミ捕獲器は、ネズミが収容される遮蔽空間を有すると共に、上面が開放された鼠の落下口を有するネズミ捕獲箱と、そのネズミ捕獲箱に立設された一対の遮蔽板と、通常は上方に向かって傾斜した状態で前記遮蔽板の間に配置されると共に、ネズミが登坂することにより下方に傾動するシーソー板と、そのシーソー板の上方に設けられた餌載置部と、ネズミ捕獲箱の底部に着脱自在に配置された接着シートで構成され、遮蔽された捕獲箱の中から聞こえてくる先に捕獲されたネズミの鳴声に惹かれて、次のネズミが掛かり易くなるという効果があった。
【０００６】
しかしながら、上記の捕獲器は、特許文献１中の図に示されているように、ネズミ捕獲箱１の前後の側板４が、蝶板４ａにより開閉可能に取り付けられているため、蝶板４ａの付勢力に対応できるよう、箱１や側板４の素材は十分な耐久性を有する素材とする必要があり、素材自体にコストが嵩んでいた。また、台錐形状のネズミ捕獲箱１と、接着シート５及びネズミ捕獲箱１が載置される底板とが夫々別の部品で構成されているため捕獲器一式の部品数が多く、組み立て前の持ち運びが不便であった。
【先行技術文献】
【特許文献】
【０００７】
【特許文献１】特開２００１−３３３６８２号公報
【考案の概要】
【考案が解決しようとする課題】
【０００８】
本考案は、上記の問題点に鑑みなされたもので、持ち運びが容易で組立が簡便で、低コストで製造可能なネズミ捕獲器を提供することを目的とする。
【課題を解決するための手段】
【０００９】
このため本考案のネズミ捕獲器は、ネズミが収容される遮蔽空間を有すると共に、両端上部にネズミの侵入口を有するネズミ捕獲箱と、該ネズミ捕獲箱の両端に傾動自在に設けられる一対のシーソー板と、該シーソー板の上方に吊下されるエサと、前記ネズミ捕獲箱の底部に着脱自在に配置された接着シートとからなり、前記ネズミ捕獲箱が一枚の紙材シートを折り曲げて箱状に組み立てられ、前記一対のシーソー板が夫々一枚の紙材シートを折り曲げて組み立てられることを特徴とする。
【考案の効果】
【００１０】
以上のように構成した本考案のネズミ捕獲器は、以下の優れた効果を有する。
（１）接着シートに捕獲されたネズミの鳴声に惹かれて、次のネズミが掛かり易くなる。
（２）他のネズミは、接着シートに捕獲されたネズミの姿を視認できないため、捕獲器を避けることが少なく捕獲率が上昇する。すなわち、連続的にネズミを捕獲することができる。
（３）捕獲器は、１枚のシートを折り曲げて組み立てる構造としているため、組み立てる前の状態で持ち運びが容易となる。
（４）捕獲器の組み立ては、１枚のシートに設けられた差し込み片を同シートに設けられた差し込み口に差し込む構造としているため、組み立て性に優れる。
（５）紙材を用いているため、捕獲器を低コストで製造することができる。
【図面の簡単な説明】
【００１１】
【図１】本考案に係るネズミ捕獲器を示す分解図及び展開図である。
【図２】図１のネズミ捕獲器を組み立てた状態を示す斜視図である。
【図３】図１のネズミ捕獲器の作動状態を説明する断面図である。
【考案を実施するための形態】
【００１２】
以下、本考案を実施するための最良の形態を、図面に示す実施例に基づいて説明する。図１は本考案に係るネズミ捕獲器を示す分解図及び展開図であり、図２は図１のネズミ捕獲器を組み立てた状態を示す斜視図であり、図３は図１のネズミ捕獲器の作動状態を説明する断面図である。
【００１３】
図１乃至図３に示すように、本考案に係るネズミ捕獲器は、１枚の紙材シートを折り曲げて箱形状に組み立てられる捕獲器本体１と、この捕獲器本体１に傾動自在に取付けられるシーソー板２ａ,２ｂとから概略構成されている。捕獲器本体１内部はネズミが収容される遮蔽空間１ａを有し、その両端部３ａ,３ｂが開放されている。両端部３ａ,３ｂ近傍に取り付けられたシーソー板２ａ,２ｂ間には、シーソー板２ａ,２ｂが傾動した際にネズミが落下するよう落下口１ｂが設けられており、その下方である捕獲器本体１の内底面には粘着シート４が着脱自在に収容されている。
【００１４】
捕獲器本体１は、図１に示すように、１枚の段ボール又は板紙からなる紙製シートによって形成されている。捕獲器本体１は、底面部１１に折り曲げ線Ｓ（図中一点鎖線で表す）を介して側壁部（長手方向）１２,１３が連設され、側壁部１３に折り曲げ線Ｓを介して側壁部（短手方向）１５,１６及び天板部１４が連設されている。側壁部（長手方向）１２には、折り込み板１７、軸受穴１２ａ、及び切り欠き部１２ｂが設けられ、側壁部（長手方向）１３には、軸受穴１３ａが設けられている。天板部１４にはエサが吊るされる穴部１４ａが設けられ、折り曲げ線Ｓを介して折り込み板１８が連設されている。側壁部（短手方向）１５,１６には、切り欠き部１５ａ,１６ａがそれぞれ設けられている。これにより、捕獲器本体１は、箱状に組み立て可能とされている。
【００１５】
シーソー板２ａ,２ｂは、図１に示すように、1枚の段ボール又は板紙からなる紙製シートによって帯状に形成されており、その長手方向の偏った位置に軸部２１が固設されるとともに、一端側に折り込み板２３が設けられている。また複数の折り曲げ線Ｓを介してシーソー板２ａ,２ｂが折り曲げ可能に構成されており、前述した折り込み板２３が挿入される切り欠き部２２が設けられている。シーソー板２ａ,２ｂが組み立てられて捕獲機本体１に設置される状態を、図２に示すが、一端側にシーソーの錘となる錘部分が形成され、軸部２１を回転軸として上方に向かって傾斜した状態で捕獲機本体１に設置される。
【００１６】
図1に示す捕獲器本体１は、図２に示すように、その両端部３ａ,３ｂが開放された箱に組み立てられる。組み立てたシーソー板２ａ,２ｂの軸部２１を軸受穴１２ａ,１３ａに挿通させて傾動自在に取り付ける。穴部１４ａを介してエサ５を吊下する。エサ５としては市販のものや油揚げ、肉片、ソーセージ片が使用できるが、とくに限定するものではない。これにより、図３に示すように、ネズミがシーソー板２ａ,２ｂのいずれかから登坂することによりネズミの自重によりシーソー板２ａ,２ｂの上部側が下方に傾動し、落下口１ｂから遮蔽空間１ａへ落下する。
【００１７】
箱状に組み立てられた捕獲器本体１の内底面（底面部１１上）には粘着シート４が収容されているため、遮蔽空間１ａへ落下したネズミは確実に粘着シート４へ貼りつく。その際にシーソー板２ａ,２ｂの一端側が錘の役割を果たし、シーソー板２ａ,２ｂはネズミの登坂前の状態に復帰する。したがって、遮蔽空間１ａの内部高さが最大の高さになり、粘着シート４上のネズミが手足を掛けることもできず、遮蔽空間１ａから脱出することは不可能となり確実にネズミを捕獲することができる。捕獲されたネズミは外部から完全に隠蔽されるので、他のネズミに視認されず、他のネズミに恐怖心や警戒心を与えることが無い、このため同じ器具により同じ場所での連続したネズミの捕獲が可能となる。
【００１８】
また、クマネズミなどは、好奇心が強く、変わったものや仲間の声に対しては非常に興味を示すという性質をもつ。このようなネズミは、遮蔽された捕獲箱の中から聞こえてくる先に捕獲されたネズミの鳴声に惹かれ、シーソー板２ａ,２ｂに登坂するため次のネズミが掛かり易くなる。こうして粘着シート４に接着捕獲された複数のネズミは、粘着シート４ごとに抜き出して、または捕獲器本体１ごと焼却処分等の後処理を行うことができる。
【符号の説明】
【００１９】
１      捕獲器本体
１ａ    遮蔽空間
１ｂ    落下口
１１    底面部
１２    側壁部（長手方向）
１２ａ  軸受穴
１２ｂ  切り欠き部
１３    側壁部（長手方向）
１３ａ  軸受穴
１４    天板部
１４ａ  穴部
１５    側壁部（短手方向）
１５ａ  切り欠き部
１６    側壁部（短手方向）
１６ａ  切り欠き部
１７    折り込み板
１８    折り込み板
２ａ    シーソー板
２ｂ    シーソー板
２１    軸部
２２    切り欠き部
２３    折り込み板
３ａ    端部
３ｂ    端部
４      粘着シート
５      エサ
Ｓ      折り曲げ線
【図１】
0003234822.tif 000003
【図２】
0003234822.tif 000004
【図３】
0003234822.tif 000005